(57)【要約】【課題】機械室への雨水の浸入を確実に防止することができる乗客コンベア及び防水装置４の提供。【解決手段】本発明に係る乗客コンベア例えばエスカレーター１は、乗降床２の下方に配置された図示しない機械室の上部を覆う床カバー３から機械室への雨水の浸入を防止する防水装置４を備え、この防水装置４は、床カバー３よりも大きな形状に設定され、床カバー３の上に配置された吸水シート５と、この吸水シート５よりも大きな形状に設定され、乗降床２に接着された接着シート６と、この接着シート６に接着され、接着シート６よりも大きな形状に設定され、吸水シート５を覆う防水シート７とを有している。【選択図】図３
2017145107.tif 000002
【特許請求の範囲】
【請求項１】
乗降床の下方に配置された機械室の上部を覆う床カバーから前記機械室への雨水の浸入を防止する防水装置を備えた乗客コンベアにおいて、
前記防水装置は、
前記床カバーよりも大きな形状に設定され、前記床カバーの上に配置された吸水シートと、
前記吸水シートよりも大きな形状に設定され、前記乗降床に接着された接着シートと、
前記接着シートに接着され、前記接着シートよりも大きな形状に設定され、前記吸水シートを覆う防水シートとを有することを特徴とする乗客コンベア。
【請求項２】
請求項１記載の乗客コンベアにおいて、
前記防水装置の前記接着シートは、中央部分に穴部を有し、前記吸水シートを前記接着シートの前記穴部に配置したことを特徴とする乗客コンベア。
【請求項３】
請求項１記載の乗客コンベアにおいて、
前記防水装置は、所定箇所への収納に際して前記接着シートに接着され、前記吸水シートを覆う保護シートを有することを特徴とする乗客コンベア。
【請求項４】
請求項３記載の乗客コンベアにおいて、
前記所定箇所は、欄干に設けた収納部から成ることを特徴とする乗客コンベア。
【請求項５】
請求項１記載の乗客コンベアにおいて、
当該乗客コンベアはエスカレーターから成り、
前記防水装置の前記防水シートは、前記エスカレーターの踏段に近づく側に、雨水をせき止める防水せきを有することを特徴とする乗客コンベア。
【請求項６】
乗客コンベアの乗降床の下方に配置された機械室の上部を覆う床カバーよりも大きな形状に設定され、前記床カバーの上に配置された吸水シートと、
前記吸水シートよりも大きな形状に設定され、前記乗降床に接着された接着シートと、
前記接着シートに接着され、前記接着シートよりも大きな形状に設定され、前記吸水シートを覆う防水シートとを有することを特徴とする防水装置。
【発明の詳細な説明】
【技術分野】
【０００１】
本発明は、機械室への雨水の浸入を防止する乗客コンベア及び防水装置に関する。
【背景技術】
【０００２】
大雨により乗客コンベア、例えばエスカレーターが設置される建物が冠水して、エスカレーターの乗降床の下方に配置された機械室の上部を覆う床カバーの隙間から機械室へ雨水が浸入すると、機械室内の機器、機材の損傷、あるいは発錆による劣化を招いてしまう。
【０００３】
なお、本発明が対象としている防水装置を備えた乗客コンベアとは異なるが、乗客コンベアの乗降床に設置する技術として、特許文献１に、乗降床の乗客歩行部に凹部を形成し、シート状滑り止め部材を凹部内に接着剤を介して固定した技術が開示されている。
【先行技術文献】
【特許文献】
【０００４】
【特許文献１】特開２０１０−１８４７８９号公報
【発明の概要】
【発明が解決しようとする課題】
【０００５】
前述した特許文献１に開示されたシート状滑り止め部材では、冠水による機械室への雨水の浸入を防止できない懸念がある。このようなことから、冠水による機械室への雨水の浸入を確実に防止できる有効な技術の開発が要望されていた。
【０００６】
上記課題を解決するために、本発明の目的は、機械室への雨水の浸入を確実に防止することができる乗客コンベア及び防水装置を提供することにある。
【課題を解決するための手段】
【０００７】
上記課題を解決するために、本発明に係る乗客コンベアは、乗降床の下方に配置された機械室の上部を覆う床カバーから前記機械室への雨水の浸入を防止する防水装置を備えた乗客コンベアにおいて、前記防水装置は、前記床カバーよりも大きな形状に設定され、前記床カバーの上に配置された吸水シートと、前記吸水シートよりも大きな形状に設定され、前記乗降床に接着された接着シートと、前記接着シートに接着され、前記接着シートよりも大きな形状に設定され、前記吸水シートを覆う防水シートとを有することを特徴としている。
【０００８】
また、本発明に係る防水装置は、乗客コンベアの乗降床の下方に配置された機械室の上部を覆う床カバーよりも大きな形状に設定され、前記床カバーの上に配置された吸水シートと、前記吸水シートよりも大きな形状に設定され、前記乗降床に接着された接着シートと、前記接着シートに接着され、前記接着シートよりも大きな形状に設定され、前記吸水シートを覆う防水シートとを有することを特徴としている。
【発明の効果】
【０００９】
本発明に係る乗客コンベア及び防水装置は、接着シートで乗降床に接着された防水シートにより、床カバーから機械室への雨水の浸入を防止することができる。また万一接着シートと乗降床との接着部分から雨水が浸入したときには、その雨水を吸水シートによって吸水し、床カバーの隙間から機械室への雨水の浸入を防止することができる。すなわち本発明は、機械室への雨水の浸入を確実に防止することができ、従来から懸念されていた機械室内の機器、機材の雨水による損傷、あるいは発錆劣化を抑えることができる。前述した以外の課題、構成及び効果は、以下の実施形態の説明により明らかにされる。
【図面の簡単な説明】
【００１０】
【図１】本発明に係る乗客コンベアの一実施形態を構成するエスカレーターを示す斜視図である。
【図２】本実施形態に備えられる防水装置を示す斜視図である。
【図３】防水装置の分解斜視図である。
【図４】防水装置の要部縦断面図である。
【図５】防水装置の裏面図である。
【図６】防水装置が配置される前のエスカレーターの乗降床付近を示す斜視図である。
【図７】防水装置の収納時の状態を示す斜視図である。
【発明を実施するための形態】
【００１１】
以下、本発明に係る乗客コンベア及び防水装置の実施の形態を図面に基づいて説明する。
【００１２】
図１に示すように、本実施形態に係る乗客コンベアは例えばエスカレーター１であり、乗降床２の下方には図示しない機械室が配置されている。この機械室の上部は床カバー３で覆われている。本実施形態に備えられる防水装置４は、床カバー３の隙間から図示しない機械室への雨水の浸入を防止するものである。
【００１３】
防水装置４は、例えば大雨が予想され、建物の冠水の虞を生じたときに乗降床２に配置されるものである。機械室への雨水の浸入の虞の無いときには、図６に示すように防水装置４は配置されない。
【００１４】
図２〜図５に示すように、本実施形態に備えられる防水装置４は、四角形状の床カバー３よりも大きな四角形状に設定され、床カバー３の上に配置された例えば高分子材から成る吸水シート５と、この吸水シート５よりも大きな四角の枠形状に設定され、乗降床２に接着された密着性の高いジェル状の接着シート６とを備えている。
【００１５】
接着シート６は、中央部分に穴部例えば角穴部６ａを有しており、吸水シート５は例えば接着シート６の角穴部６ａに配置してある。例えば吸水シート５の外形形状を接着シート６の角穴部６ａの形状と同等に設定し、吸水シート５を接着シート６の角穴部６ａに嵌着させてある。
【００１６】
また防水装置４は、接着シート６よりも大きな四角形状に設定され、吸水シート５を覆う防水シート７を備えている。この防水シート７は、図１に示すように、エスカレーター１の踏段８に近づく側に、雨水をせき止めて踏段８方向への雨水の浸入を防止する防水せき９を有している。
【００１７】
また本実施形態に係るエスカレーター１は、図１に示すように、欄干１０に防水装置４の収納部１１を設けてある。
【００１８】
また本実施形態に備えられる防水装置４は、図７に示すように、収納部１１への収納に際して接着シート６に接着され、吸水シート５を覆う保護シート１２を備えている。
【００１９】
本実施形態に備えられる防水装置４を収納部１１に収納する際には、保護シート１２を接着シート６に接着した状態で、同図７に示すように例えば、保護シート１２、吸水シート５、接着シート６、及び防水シート７を含むシート部分の全体を丸めるようにして、収納部１１に収納するようになっている。
【００２０】
このように構成した本実施形態に係るエスカレーター１及び防水装置４は、接着シート６で乗降床２に接着された防水シート７により、床カバー３から図示しない機械室への雨水の浸入を防止することができる。また万一接着シート６と乗降床２との接着部分から雨水が浸入したときには、その雨水を吸水シート５によって吸水し、床カバー３の隙間から機械室への雨水の浸入を防止することができる。すなわち本実施形態は、機械室への雨水の浸入を確実に防止することができ、機械室内の機器、機材の雨水による損傷、あるいは発錆劣化を抑えることができる。
【００２１】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００２２】
１・・エスカレーター（乗客コンベア）、２・・乗降床、３・・床カバー、４・・防水装置、５・・吸水シート、６・・接着シート、６ａ・・角穴部、７・・防水シート、８・・踏段、９・・防水せき、１０・・欄干、１１・・収納部、１２・・保護シート
【図１】
2017145107.tif 000003
【図２】
2017145107.tif 000004
【図３】
2017145107.tif 000005
【図４】
2017145107.tif 000006
【図５】
2017145107.tif 000007
【図６】
2017145107.tif 000008
【図７】
2017145107.tif 000009